(57)【要約】【課題】  利用者が風景画像上で店舗等の最新の位置案内とコンテンツ情報を簡単に把握できる情報提供システムを提供する。【解決手段】  コンテンツ管理サーバ２が、端末１により取得された端末位置情報に対応するコンテンツ情報を自らが有する記録手段に記録されたコンテンツ情報の中から選出し、端末１が、端末１の端末位置情報とコンテンツ管理サーバ２により選出されたコンテンツ情報とに基づいて、端末１が撮影した風景映像にコンテンツ情報を重畳表示する表示位置を算出し、この算出した表示位置にコンテンツ情報を重畳表示する。【選択図】        図１
2006091390.tif 000002
【特許請求の範囲】
【請求項１】
コンテンツ情報が記録された記録手段と、端末位置情報に対応する端末位置情報対応コンテンツ情報を前記記録手段に記録されたコンテンツ情報の中から選出するコンテンツ情報提供手段と、を有するコンテンツ管理サーバと、
前記コンテンツ管理サーバに接続し、前記端末位置情報を取得する位置情報取得手段と、周囲の風景映像を撮影する撮影手段と、前記端末位置情報と前記端末位置情報対応コンテンツ情報とに基づいて前記風景映像に前記端末位置情報対応コンテンツ情報を重畳表示する表示位置を算出する表示位置算出手段と、前記撮影手段により撮影された前記風景映像を表示すると共に、前記表示位置に前記端末位置情報対応コンテンツ情報を重畳表示する表示手段と、を有する端末と、を備えたことを特徴とする情報表示システム。
【請求項２】
前記記憶手段は、前記コンテンツ情報とこのコンテンツ情報に関連付けられた位置情報とが記録され、
前記コンテンツ情報提供手段は、前記端末位置情報と前記記憶手段に記録された位置情報とに基づいて前記端末位置情報対応コンテンツ情報を選出することを特徴とする請求項１記載の情報表示システム。
【請求項３】
前記コンテンツ情報提供手段は、前記端末位置情報をもとに前記撮影手段で撮影された前記風景映像の表示範囲を算出し、この表示範囲内に含まれる前記端末位置情報対応コンテンツ情報を選出することを特徴とする請求項１又は請求項２記載の情報表示システム。
【請求項４】
前記端末は、利用者が入力した利用者入力コンテンツ情報とこの利用者入力コンテンツ情報を追加又は変更又は削除するための処理種別とを取得するコンテンツ情報入力手段と、前記利用者入力コンテンツ情報の位置情報を取得する位置情報入力手段と、を備え、
前記コンテンツ管理サーバは、前記利用者入力コンテンツ情報と前記処理種別と前記利用者入力コンテンツ情報の位置情報とに基づいて前記記録手段に記録されたコンテンツ情報とこのコンテンツ情報に関連付けられた位置情報とを編集するコンテンツ情報編集手段を備えたことを特徴とする請求項２記載の情報表示システム。
【請求項５】
前記コンテンツ管理サーバは、前記コンテンツ情報提供手段により選出された前記端末位置情報対応コンテンツ情報と前記位置情報取得手段により取得された前記端末位置情報とに基づいて前記風景映像に前記端末位置情報対応コンテンツ情報を表示する表示位置を算出するコンテンツ管理サーバ用表示位置算出手段を備えたことを特徴とする請求項１記載の情報表示システム。
【請求項６】
前記コンテンツ管理サーバは、前記撮影手段により撮影された前記風景映像を表示すると共に、前記コンテンツ管理サーバ用表示位置算出手段により算出された前記表示位置に前記端末位置情報対応コンテンツ情報を重畳表示する重畳表示手段を備えたことを特徴とする請求項５記載の情報表示システム。
【請求項７】
前記端末位置情報対応コンテンツ情報は、コンテンツ情報の主要部分を示す主部とこの主部を説明する副部とにより構成され、
前記表示手段は、前記撮影手段により撮影された前記風景映像を表示すると共に、前記表示位置に前記端末位置情報対応コンテンツ情報の主部を重畳表示し、
前記表示手段により重畳表示された前記端末位置情報対応コンテンツ情報の主部を選択すると前記端末位置情報対応コンテンツ情報の主部と副部とが表示されることを特徴とする請求項１記載の情報表示システム。
【請求項８】
前記撮影手段は、要求コンテンツ情報に関連付けされたタグ情報を指定し前記風景映像を撮影し、
前記端末は、前記コンテンツ情報提供手段により選出された前記端末位置情報対応コンテンツ情報の中から前記タグ情報に関連する要求コンテンツ情報を選出し、この要求コンテンツ情報を前記表示位置に重畳表示することを特徴とする請求項１記載の情報表示システム。
【請求項９】
前記コンテンツ管理サーバは、前記端末位置情報と前記タグ情報とに基づいて前記端末位置情報対応コンテンツ情報の中から前記タグ情報に関連する要求コンテンツ情報を選出し、
前記端末は、前記コンテンツ管理サーバにより選出された要求コンテンツ情報を前記表示位置に重畳表示することを特徴とする請求項８記載の情報表示システム。
【請求項１０】
前記表示手段は、前記端末位置情報対応コンテンツ情報を前記風景映像の距離に応じて大きさを変えて表示することを特徴とする請求項１記載の情報表示システム。
【請求項１１】
前記表示手段は、前記端末の現在位置から前記端末位置情報対応コンテンツ情報が表示される前記風景映像の位置までの距離によって前記端末位置情報対応コンテンツ情報の表示方法を変えることを特徴とする請求項１記載の情報表示システム。
【請求項１２】
前記記録手段に記録されたコンテンツ情報にコンテンツ情報を公開する限界距離を示す公開距離情報が付加され、
前記コンテンツ管理サーバは、前記端末の現在位置から前記コンテンツ情報が表示される前記風景映像の位置までの距離が前記公開距離情報以内である前記コンテンツ情報を絞り込み、この絞り込まれた前記コンテンツ情報の中から前記端末位置情報対応コンテンツ情報を選出することを特徴とする請求項１記載の情報表示システム。
【請求項１３】
端末の周囲の風景映像を撮影する撮影ステップと、
前記端末の端末位置情報を取得する位置情報取得ステップと、
コンテンツ情報を記録する記録ステップと、
前記位置情報取得ステップにより取得された前記端末位置情報に対応する端末位置情報対応コンテンツ情報を前記記録ステップにより記録されたコンテンツ情報の中から選出するコンテンツ情報提供ステップと、
前記位置情報取得ステップにより取得された前記端末位置情報と前記コンテンツ情報提供ステップにより選出された前記端末位置情報対応コンテンツ情報とに基づいて前記撮影ステップにより撮影された前記風景映像に前記端末位置情報対応コンテンツ情報を重畳表示する表示位置を算出する表示位置算出ステップと、
前記表示位置算出ステップにより算出された前記表示位置に前記端末位置情報対応コンテンツ情報を重畳表示する表示ステップと、を備えたことを特徴とする情報表示方法。
【請求項１４】
端末の周囲の風景映像を撮影する撮影ステップと、
前記端末の端末位置情報を取得する位置情報取得ステップと、
コンテンツ情報を記録する記録ステップと、
前記位置情報取得ステップにより取得された前記端末位置情報に対応する端末位置情報対応コンテンツ情報を前記記録ステップにより記録されたコンテンツ情報の中から選出するコンテンツ情報提供ステップと、
前記位置情報取得ステップにより取得された前記端末位置情報と前記コンテンツ情報提供ステップにより選出された端末位置情報対応コンテンツ情報とに基づいて前記撮影ステップにより撮影された前記風景映像に前記端末位置情報対応コンテンツ情報を重畳表示する表示位置を算出する表示位置算出ステップと、
前記表示位置算出ステップにより算出された前記表示位置に前記端末位置情報対応コンテンツ情報を重畳表示する表示ステップと、を有する情報表示方法をコンピュータに実行させるためのプログラム。
【請求項１５】
周囲の風景映像を撮影する撮影手段と、
位置情報を取得する位置情報取得手段と、
インターネットを介して接続されたコンテンツ配信サーバから送信された前記位置情報に対応する位置情報対応コンテンツ情報と前記位置情報取得手段により取得された前記位置情報とに基づいて前記撮影手段により撮影された前記風景映像に前記端末位置情報対応コンテンツ情報を重畳表示する表示位置を算出する表示位置算出手段と、
前記表示位置算出手段により算出された前記表示位置に前記端末位置情報対応コンテンツ情報を重畳表示する表示手段と、を備えたことを特徴とする情報表示端末装置。
【発明の詳細な説明】
【技術分野】
【０００１】
この発明は、携帯端末の位置情報から得たコンテンツ情報を実風景に重畳表示する情報表示システム及び情報表示方法及び情報表示端末装置に関するものである。
【背景技術】
【０００２】
従来の端末周囲の情報を提供するシステムでは、端末の位置情報と、コンテンツ情報を記入した地図情報を用いることによって、地図上に現在位置とその周囲のコンテンツ情報を表示するという方法で周囲のコンテンツ情報の提供を行っていた。
例えば、エヌ・ティ・ティ・ドコモの「どこＮａｖｉ」と呼ばれるサービスは、携帯電話利用者周辺の店舗等の地域情報を地図上に表示することによって利用者に提供するものである。
【０００３】
また、車の運転手に対しては周辺情報を提供するシステムとしてカーナビゲーションシステムが普及している。カーナビゲーションシステムはＧＰＳ等を利用して車の現在位置を特定し、その周辺のコンテンツ情報を平面地図や鳥瞰図、運転手視点からの３Ｄ地図を用いて表示することで、周辺の情報を運転手に提供するシステムである。
【０００４】
その他、端末の位置情報と構造物等のオブジェクト情報を用いて端末からの目標物の景観を再現した３次元配置図を構築することにより、周囲の情報を提供する方法も提案されている(例えば、特許文献１)。
【０００５】
また、端末の位置情報と３次元地図データを用いて端末からの景観を再現した３次元配置図を構築し、その景観画像に店舗情報等の地域データを重畳表示することにより周囲の情報を提供する方法も提案されている(例えば、特許文献２)。
【０００６】
これら以外にも、周囲の情報を提供するシステムではないが、建物等の外観を撮影した映像から得た建物の特徴を用いて特定した建物に関連付けられた情報を提供する、といった画像認識による情報提供システムも、広く知られている情報提供システムである。
【特許文献１】特開２００２-３４０６０７号公報
【特許文献２】特開２００３-４４９８２号公報
【発明の開示】
【発明が解決しようとする課題】
【０００７】
従来の端末周囲の情報を提供するシステムでは、次ぎのような問題点がある。
即ち、第１に、表示される平面図、鳥瞰図、３次元配置図を頭の中で実風景に置き換え、目標の位置を把握しなければならないという問題がある。この「頭の中で実風景に置き換える」という作業は、実風景となる現地に不慣れな人間には難しい作業である。
【０００８】
第２に、地図情報や建物等のオブジェクト情報を元に周囲の情報を表示するため、使用する地図情報やオブジェクト情報は常に最新のものを使用する必要がある。元となる地図情報が古い場合、実風景と全く異なった情報が表示され、周囲の情報どころか現在位置さえわからない可能性がある。鳥瞰図や３次元配置図のような詳細な３次元配置図が表示される場合は、建物の形状が変わったり目印となる看板等が無くなったりすると目的地を間違えてしまう可能性がある。
【０００９】
第３に、表示される周囲の情報はデパートやビルといった大きな範囲の位置情報とコンテンツ情報であり、デパートやビルの中にある店舗等の位置情報やコンテンツ情報といった小さな範囲の情報は提供されないという問題がある。そのため、デパートに行っても、目的の店舗の場所が分からないために各フロアの地図を探し、地図を頼りに店舗の位置を把握する必要があるため、買い物のような用途には不向きである。
【００１０】
第４に、使用する地図情報や建物等のオブジェクト情報とそれらに関連付けられる位置情報やコンテンツ情報は、多くの場合集中管理されずに端末側に記録されているため、頻繁に更新することはできず、そのため表示される周囲の情報はリアルタイム性に欠けるという問題がある。地図情報・オブジェクト情報・位置情報・コンテンツ情報が集中管理されている場合でも、細部にわたって常に最新の情報を保つことは運用上難しく、そのために同様の問題が発生してしまう。
【００１１】
また、既述の画像認識による情報提供システムにおいても、情報に関連付けられた建物等の形状が変わってしまうと、違う建物と認識してしまい、正しい情報が提供されないという問題がある。その他にも、同様の形状をした建物がある場合には、誤って情報を提供してしまうという問題もある。
【００１２】
この発明は上記のような問題店を解決するためになされたもので、地図情報やオブジェクト情報や画像認識を必要とせず、利用者は現実の風景上で店舗等の最新の位置案内とコンテンツ情報を得ることができ、周囲の情報を簡単に把握できる情報提供システムを提供することを目的とする。
【課題を解決するための手段】
【００１３】
この発明に係る情報表示システムは、コンテンツ情報が記録された記録手段と、端末位置情報に対応する端末位置情報対応コンテンツ情報を前記記録手段に記録されたコンテンツ情報の中から選出するコンテンツ情報提供手段と、を有するコンテンツ管理サーバと、
前記コンテンツ管理サーバに接続し、前記端末位置情報を取得する位置情報取得手段と、周囲の風景映像を撮影する撮影手段と、前記端末位置情報と前記端末位置情報対応コンテンツ情報とに基づいて前記風景映像に前記端末位置情報対応コンテンツ情報を重畳表示する表示位置を算出する表示位置算出手段と、前記撮影手段により撮影された前記風景映像を表示すると共に、前記表示位置に前記端末位置情報対応コンテンツ情報を重畳表示する表示手段と、を有する端末と、を備えたものである。
【発明の効果】
【００１４】
この発明は、以上説明したように、端末がコンテンツ管理サーバにより選出された端末位置情報に対応する端末位置情報対応コンテンツ情報を端末が撮影した周囲の風景映像に重畳表示することにより、実際の風景映像上にコンテンツ情報を表示することができるため、利用者はコンテンツ情報が示す場所を簡単に把握することができる。
【発明を実施するための最良の形態】
【００１５】
実施の形態１．
図１は、実施の形態１の３Ｄ（３次元、以下３Ｄは３次元を示す）情報表示システムの構成図である。
図１において、端末１とコンテンツ管理サーバ２がインターネット１００及び無線基地局１０１を介して接続されている。
端末１は、端末１の位置情報を取得する位置情報取得手段１１と、位置情報をコンテンツ管理サーバ２へアンテナ１６を介して送信する位置情報送信手段１２と、実際の風景映像を取得する撮影手段１３と、コンテンツ管理サーバ２から得た位置情報からその位置情報に関連付けられたコンテンツ情報の実風景上の表示位置を算出する表示位置算出手段１４と、撮影手段１３から得た風景映像と共に表示位置算出手段１４から得た位置にコンテンツ情報を重畳表示する表示手段１５とを備えるものであり、携帯電話、ＰＤＡ（Ｐｅｒｓｏｎａｌ  Ｄｉｇｉｔａｌ  Ａｓｓｉｓｔａｎｔ）、カーナビゲーション端末といった携帯端末である。
【００１６】
コンテンツ管理サーバ２は、コンテンツ情報を記録する記録手段２１と、端末１から得た位置情報を元に、記録手段２１に記録されたコンテンツ情報から端末１の撮影手段１３で取得される風景映像の範囲内に含まれるコンテンツ情報とそれが関連付けられている位置情報を選出して端末１へ送信するコンテンツ情報提供手段２２とを備える。
【００１７】
端末１の位置情報取得手段１１は、緯度・経度・高度と共に端末１が向いている方位と端末１の傾斜角度を特定し、位置情報として提供する。緯度・経度・高度を特定する手段にはＧＰＳをはじめとした測位衛星を用いて特定する手段を用いてもよく、方位には電子ジャイロ等のデバイスを用いてもよく、傾斜角度の特定には各速度測定器等のデバイスを用いてもよい。
【００１８】
コンテンツ管理サーバ２の記録手段２１は、コンテンツ情報とそのコンテンツ情報が関連付けられている位置情報を多数記録するものである。コンテンツ管理サーバ２のコンテンツ情報提供手段２２は、端末１の位置情報送信手段１２から受け取った位置情報と記録手段２２に記録されているコンテンツ情報の位置情報を元に、端末１の撮影手段１３で取得した実風景の範囲内の位置に該当するコンテンツ情報を選出し、そのコンテンツ情報とそれに関連付けられている位置情報を端末１の表示位置算出手段１４へ提供するものである。
【００１９】
次に動作について説明する。
図２は、本実施の形態における３Ｄ情報表示システムの処理動作を示すシーケンス図である。
まず端末１により、撮影手段１３を用いて端末１の周囲の風景を風景映像として取得すると共に、位置情報取得手段１１を用いて端末１の位置情報(現在位置の緯度・経度・高度と向いている方位と傾斜角度)を取得する。ここで、端末１の周囲の風景を風景映像として取得する様子を図３に、また端末１の位置情報を取得する様子を図４に示す。
その後、取得した位置情報を、位置情報送信手段１２を用いてコンテンツ管理サーバ２へ送信する。
【００２０】
コンテンツ管理サーバ２へ送信された位置情報はコンテンツ情報提供手段２２が受け取る。コンテンツ情報提供手段２２は、受け取った端末１の位置情報を元に端末１の撮影手段１３で取得された風景映像の表示範囲を算出する。
【００２１】
更に、コンテンツ情報提供手段２２は、記録手段２１に記録されているコンテンツ情報の中から、コンテンツ情報の位置情報が端末１の撮影手段１３で取得した風景映像の表示範囲内に含まれるコンテンツ情報のみを選出する。
図５は、コンテンツ管理サーバ２によりコンテンツ情報の選出を行う様子を表した図であり、端末から円錐状に伸びる風景映像表示範囲に含まれるコンテンツ情報を選出する。ここでは、風景映像表示範囲に含まれるコンテンツ情報は「武田商店」「××薬局」「△△内科」「○○そば」の４つとなる。
【００２２】
その後、コンテンツ情報提供手段２２は、選出した複数のコンテンツ情報を端末１へ送信する。端末１へ送信されたコンテンツ情報は表示位置算出手段１４が受け取る。
【００２３】
表示位置算出手段１４は、端末１の位置情報取得手段１１から得た位置情報と受け取ったコンテンツ情報の位置情報を元に、撮影手段１３で得た風景映像上での受け取ったコンテンツ情報の表示位置を算出する。
最後に、表示手段１５は、撮影手段１３で取得した風景映像を表示すると共に、表示位置算出手段１４で算出した表示位置にコンテンツ情報を重畳表示する。ここで、撮影手段１３で取得した端末１の周囲の風景映像（風景映像のみ）を図６に、また表示位置算出手段１４で算出した表示位置にコンテンツ情報を重畳表示した風景映像を図７に示す。
【００２４】
なお、撮影手段１３はカメラのように１枚の風景映像を取得するものの他、ビデオカメラのような連続して風景映像を取得するものでもよく、その場合には、位置情報取得・位置情報送信・コンテンツ情報取得・重畳表示を連続して行うことにより、風景の移動と共にコンテンツ情報も移動するように表示することができる。
【００２５】
以上のように本実施の形態によれば、撮影手段１３で取得した風景映像を表示すると共に、表示位置算出手段１４で算出した表示位置にコンテンツ情報を重畳表示することにより、実際の風景映像上にコンテンツ情報が表示されることにため、平面地図や３次元地図による表示に比べて、頭の中で地図情報を実際の風景に置き換えることが不要となり、コンテンツ情報が示す場所をより簡単に捕らえることができる。
また、地図を使用しないため、コンテンツ情報が示す場所が変更されていなければ、周囲の風景がどのように変化しても、利用者はコンテンツ情報が示す場所を簡単に把握することができる。即ち、利用者はコンテンツ情報が示す場所や内容を、地図上で表示されるよりも簡単に把握することができる。
【００２６】
実施の形態２．
図８は、実施の形態２の３Ｄ情報表示システムの構成図である。
図８において、端末３は、利用者が入力したコンテンツ情報と処理種別を取得するコンテンツ情報入力手段３１と、利用者が入力したコンテンツ情報の位置情報を取得する位置情報入力手段３２と、取得したコンテンツ情報と位置情報と処理種別とをコンテンツ管理サーバ４へ送信するコンテンツ情報送信手段３３と、コンテンツ管理サーバ４から受け取った編集結果を利用者へ通知する編集結果表示手段３４とで構成される。なお、端末３は図１の端末１と同じ端末であってもよい。
【００２７】
コンテンツ管理サーバ４は、コンテンツ情報とその位置情報を記録する記録手段４１と、コンテンツ情報と位置情報と処理種別を用いて記録手段４１に記録されているコンテンツ情報を編集するコンテンツ情報編集手段４２と、コンテンツ情報編集手段４２による編集結果を端末３へ送信する編集結果送信手段４３とで構成される。なお、コンテンツ管理サーバ４は図１のコンテンツ管理サーバ２と同じコンテンツ管理サーバであってもよい。また、記録手段４１は図１の記録手段２１と同じ記録手段であってもよい。
【００２８】
次に動作について説明する。
図９は、本実施の形態における３Ｄ情報表示システムの処理動作を示すシーケンス図である。
まず、利用者は端末３へコンテンツ情報とその位置情報と処理種別を入力する。
この処理種別には、追加、変更、削除といったものがある。コンテンツ情報の追加を行う場合には、公開したいコンテンツ情報の内容と位置情報を入力する。コンテンツ情報の編集を行う場合には、コンテンツ情報のＩＤと、編集後のコンテンツ情報を入力する。
【００２９】
コンテンツ情報のＩＤの入手方法としては、予め指定されているＩＤを使用する方法や、上記の３Ｄ情報表示システムで取得したコンテンツ情報のＩＤを使用する方法等がある。また、コンテンツ情報の位置情報を変更する場合には、変更後の位置情報も入力する。コンテンツ情報の削除を行う場合には、編集時と同様にコンテンツ情報のＩＤを入力する。削除の場合には位置情報の入力は不要となる。
【００３０】
コンテンツ情報の位置情報の入力形式としては、利用者が入力した緯度・経度・高度、測位衛星等を利用して取得した端末の緯度・経度・高度、測位衛星等を利用して取得した端末の緯度・経度・高度から端末の向いている方向への距離、といった形式が考えられる。
入力されたコンテンツ情報と位置情報と処理種別は、コンテンツ情報送信手段３３によってコンテンツ管理サーバ４へ送信される。
【００３１】
次に、コンテンツ管理サーバ４のコンテンツ情報編集手段４２は、端末３から受け取ったコンテンツ情報と位置情報と処理種別を用いて、記録手段に記録されているコンテンツ情報の編集を行う。
コンテンツ情報の編集結果は、編集結果送信手段４３によって端末３へ送信される。続いて、端末３の編集結果表示手段３４は、コンテンツ管理サーバ４から受け取った編集結果を表示し、利用者にこの編集結果を通知する。
【００３２】
以上のように本実施の形態によれば、コンテンツ情報を自由に編集可能とすることにより、こまめなコンテンツ情報の更新・追加・削除によるコンテンツ情報のリアルタイム性を向上することができる。また、コンテンツ情報を様々な場所に自由に追加・配置できることから、地図には載っていないような小さな店舗やローカルな情報や案内情報といった小さな範囲の情報を登録でき、その結果として地図には無い情報も上記の３Ｄ情報表示システムを通して利用者へ提供できる。
【００３３】
実施の形態３．
実施の形態１では、コンテンツ情報の風景映像上での表示位置算出を行う表示位置算出手段を端末上に配置した場合について説明したが、本実施の形態では、表示位置算出手段をコンテンツ管理サーバ上に配置した場合について説明する。
図１０は、実施の形態３の３Ｄ情報表示システムの構成図である。
端末１は、端末１の位置情報を取得する位置情報取得手段１１と、位置情報をコンテンツ管理サーバ２へアンテナ１６を介して送信する位置情報送信手段１２と、実際の風景映像を取得する撮影手段１３とを備える。
【００３４】
コンテンツ管理サーバ２は、コンテンツ情報を記録する記録手段２１と、端末１から得た位置情報を元に、記録手段２１に記録されたコンテンツ情報から端末１の撮影手段で取得される風景映像の範囲内に含まれるコンテンツ情報とそれが関連付けられた情報を選出して取得するコンテンツ情報提供手段２２と、風景映像上でのコンテンツ情報の表示位置を算出する表示位置算出手段２３とを備える。
【００３５】
表示位置算出手段２３は、実施の形態１の表示位置算出手段１４と同様に、風景映像上でのコンテンツ情報の表示位置を算出する手段であり、その他の手段についても実施の形態１の手段と同様の機能を持つものである。
【００３６】
次に動作について説明する。
図１１は、本実施の形態における３Ｄ情報表示システムの処理動作を示すシーケンス図である。
ここで、端末の位置情報を取得し、その位置情報を元にコンテンツ情報を選出するところまでは実施の形態１と同じである。
実施の形態１と違うところは、コンテンツ管理サーバ２に表示位置算出手段２３があり、コンテンツ情報送信前にコンテンツ情報提供手段２２が取得した複数のコンテンツ情報の風景映像上での表示位置を算出する点である。
【００３７】
表示位置算出手段２３は、コンテンツ情報提供手段２２から取得した複数のコンテンツ情報の位置情報と端末１の位置情報送信手段１２から受け取った位置情報を使用して、端末１の撮影手段１３で取得した風景映像上でのコンテンツ情報の表示位置を算出する。表示位置算出後、その表示位置とコンテンツ情報を端末１の表示手段１５へ送信する。
最後に、表示手段１５は、撮影手段１３で取得した風景映像を表示すると共に、表示位置算出手段２３から受け取った座標に、その座標に関連付けられたコンテンツ情報を重畳表示する。
【００３８】
以上のように本実施の形態によれば、実施の形態１と同様の効果が得られ、且つ、端末の負荷を軽減することが出来る。
【００３９】
実施の形態４．
実施の形態１では、コンテンツ情報の重畳表示を端末で行う場合について説明したが、本実施の形態では、コンテンツ情報の重畳表示をコンテンツ管理サーバ上に配置する場合について説明する。
図１２は、実施の形態４の３Ｄ情報表示システムの構成図である。
図１２において、端末１は、端末１の位置情報を取得する位置情報取得手段１１と、実際の風景映像を取得する撮影手段１３と、取得した風景映像と位置情報をコンテンツ管理サーバ２へ送信する風景映像・位置情報送信手段１７と、コンテンツ管理サーバ２から取得した重畳映像を表示する表示手段１５とで構成される。
【００４０】
コンテンツ管理サーバ２は、コンテンツ情報を記録する記録手段２１と、端末１から得た位置情報を元に、記録手段２１に記録されたコンテンツ情報から端末１から得た風景映像の範囲内に含まれるコンテンツ情報を選出するコンテンツ情報提供手段２２と、選出されたコンテンツ情報の端末１から得た風景画像上での表示位置を算出する表示位置算出手段２３と、端末１から得た風景画像上に表示位置算出手段２３から得た表示位置にコンテンツ情報を重畳表示して端末１へ送信する重畳表示手段２４とを備える。
【００４１】
表示位置算出手段２３は、実施形態１の表示位置算出手段１４と同様に、風景映像上でのコンテンツ情報の表示位置を算出する手段である。
重畳表示手段２４は、端末１から得た風景映像と、コンテンツ情報提供手段２２から得たコンテンツ情報と、表示位置算出手段から得た表示位置を使用して、風景映像上の表示位置にコンテンツ情報を重畳表示した重畳映像を作成するものであり、作成した重畳映像は端末１へ送信される。
【００４２】
次に、動作について説明する。
図１３は、本実施の形態における３Ｄ情報表示システムの処理動作を示すシーケンス図である。
まず、端末１により、撮影手段１３を用いて端末周囲の風景を風景映像として取得すると共に、位置情報取得手段１１を用いて端末１の位置情報(現在位置の緯度・経度・高度と向いている方位と傾斜角度)を取得する。取得した風景映像と位置情報を、風景映像・位置情報送信手段１７を用いてコンテンツ管理サーバ２へ送信する。
【００４３】
次に、コンテンツ管理サーバ２のコンテンツ情報提供手段２２が、受け取った位置情報を元に、受け取った風景映像の表示範囲を算出する。続いて、記憶手段２１に記憶されているコンテンツ情報のうち、表示範囲に含まれるコンテンツ情報のみを選出する。
表示位置算出手段２３は、受け取った位置情報を元に、コンテンツ情報提供手段２２で選出されたコンテンツ情報の風景映像上における表示位置を算出する。
【００４４】
重畳表示手段２４は、受け取った風景映像上に対して、コンテンツ情報提供手段２２で選出された全てのコンテンツ情報を表示位置算出手段２３で取得した表示位置に重畳表示した重畳映像を作成する。作成した重畳映像は端末１へ送信する。
最後に、端末１の表示手段１５が重畳映像を取得し表示することで、利用者に対してコンテンツ情報を提供する。
【００４５】
以上のように本実施の形態によれば、実施の形態１と同様の効果が得られ、且つ、実施の形態２よりも端末の負荷を更に軽減することができる。
【００４６】
実施の形態５．
実施形態１による３Ｄ情報表示システムでは、コンテンツ情報の内容が多い場合、コンテンツ情報が使用する表示範囲が広すぎるために風景や他のコンテンツ情報が見えず、３Ｄ情報表示システムの本来の機能を果たせなくなる可能性がある。このような場合、コンテンツ情報を複数に分割して登録し、コンテンツ情報を部分的に表示することにより、この問題を解決することができる。本実施の形態では、コンテンツ情報を複数に分割して登録し、コンテンツ情報を部分的に表示する場合について説明する。
【００４７】
以下、コンテンツ情報を主部と副部に分けて登録した場合のコンテンツ情報の提供手順について説明する。
３Ｄ情報表示システムは、実施の形態１と同様にコンテンツ情報を受け取るが、コンテンツ情報をそのまま表示せず、コンテンツ情報の主部のみを表示位置に表示する。
図１４は、コンテンツ情報の主部のみを表示した重畳映像を示した図であり、主部として登録されている店舗名のみが表示されている。
【００４８】
ここで、主部のみが表示されているコンテンツ情報を選択すると、選択されたコンテンツ情報のみ、主部と副部が表示される。図１５は、図１４中のコンテンツ情報「武田商店」を選択した状態であり、主部の店舗名に加え、副部の営業時間等の情報が表示されている。
【００４９】
また、図１６のように副部を含むコンテンツ情報を別窓で表示することにより、コンテンツ情報の詳細を既に表示されているコンテンツ情報を変更することなく、利用者に提供することができる。
副部の表示の際には、主部と同時に受け取っていた副部の情報を表示する方式の他、図１７のシーケンス図が示すように、選択した主部のコンテンツ情報のＩＤをコンテンツ管理サーバ２へ送信し、ＩＤに対応するコンテンツ情報の副部を入手して表示する方式を使用することもできる。
【００５０】
以上のように本実施の形態によれば、コンテンツ情報を分割登録して部分表示することにより、より多くのコンテンツ情報を表示し、その情報が示す位置を利用者へ伝えることができる。また、利用者は、不要な情報を排除し、欲しい情報の詳細のみを選択して取得することができるため、コンテンツ情報の利便性が向上される。
【００５１】
実施の形態６．
実施形態１による３Ｄ情報表示システムでは、大量のコンテンツ情報が登録されているような場合、利用者は自分が欲しいコンテンツ情報を見つけ出すことが困難となる可能性がある。このような場合、コンテンツ情報に予めタグをつけておき、指定されたタグに対応するコンテンツ情報のみを利用者に提供(表示)することにより、この問題を解決することができる。本実施の形態では、コンテンツ情報に予めタグをつけておき、指定されたタグに対応するコンテンツ情報のみを利用者に提供する場合について説明する。
【００５２】
以下、指定されたタグに対応するコンテンツ情報のみを表示する場合の動作手順について説明する。
図１８は、指定されたタグに対応するコンテンツ情報のみを表示する場合の処理動作を示すシーケンス図である。
まず、欲しいコンテンツ情報に関連付けられたタグ情報を指定し、風景を撮影する。例えば、ここでタグ情報に「食べ物」を指定して風景を撮影する。その後、端末１はコンテンツ管理サーバ２へ位置情報を送信し、コンテンツ管理サーバ２は端末１へコンテンツ情報を送信する。
【００５３】
続いて、端末１は、コンテンツ管理サーバ２から受け取ったコンテンツ情報のうち、タグ情報から利用者が指定した「食べ物」に該当するコンテンツ情報のみを選出し(ここでは「○○そば」)、選出後のコンテンツ情報のみを重畳表示する。図１９は、この時の表示の様子を示す図である。
【００５４】
また、コンテンツ管理サーバ２でタグ情報によるコンテンツ情報の選出を行うこともできる。
図２０は、コンテンツ管理サーバ２でタグ情報によるコンテンツ情報の選出を行う場合の処理動作を示すシーケンス図である。
【００５５】
まず、利用者は欲しいコンテンツ情報に関連付けられたタグ情報を指定して風景を撮影する。例えば、ここでタグ情報に「食べ物」を指定して風景を撮影する。その後、端末はコンテンツ管理サーバへ位置情報と共にタグ情報を送信する。
【００５６】
コンテンツ管理サーバ２は、端末１から受け取った位置情報を用いてコンテンツ情報を選出すると共に、端末１から受け取ったタグ情報と同じタグ情報を持つコンテンツ情報のみを選出し、端末へ送信する。図２１は、この時の様子を示す図である。
コンテンツ情報を受け取った端末１は、図１９に示すように、撮影した風景映像上にコンテンツ情報を重畳表示する。
【００５７】
以上のように本実施の形態によれば、コンテンツ情報にタグをつけて登録することにより、利用者は欲しいコンテンツ情報のみを選択して取得することが可能となり、３Ｄ情報表示システムの利便性を向上させることが出来る。
【００５８】
実施の形態７．
実施形態１による３Ｄ情報表示システムでは、コンテンツ情報の位置関係が分かりづらい場合がある。例えば、同一直線上に２つのコンテンツ情報が配置されている場合、２つのコンテンツ情報を同じように表示したのでは、どちらが近いコンテンツ情報なのかが分からなくなってしまう。このような問題については、コンテンツ情報を距離に応じて重ねて表示させたり、遠くになるにつれ小さく表示したりすることで解決することができる。本実施の形態では、コンテンツ情報を距離に応じて重ねて表示させたり、遠くになるにつれ小さく表示したりする場合について説明する。
【００５９】
図２２は、端末１の表示手段１５が、遠近２つのコンテンツ情報を表示した重畳映像例を示した図である。「××薬局」は「○○そば」よりも近い位置に配置されているコンテンツ情報であり、「○○そば」よりも前に重ねて表示される。「○○そば」は「××薬局」よりも遠い位置にあるため、距離に応じて小さく表示される。コンテンツ情報が選択された場合には、図２３のように選択時のみ一番前に大きく表示される。
このように表示することにより、利用者はコンテンツ情報の位置をより視覚的に把握することが可能となる。
【００６０】
また、表示手段１５が、端末１からコンテンツ情報が配置されている位置までの距離によって表示方法を変えることにより、コンテンツ情報の位置関係を更に詳しく把握することができる。即ち、端末１の現在位置からコンテンツ情報が表示される風景映像の場所の位置までの距離によって、表示手段１５が表示する表示状態を変えることにより、利用者はコンテンツ情報の位置関係を更に詳しく把握することができる。
【００６１】
図２４〜２６は、コンテンツ情報を端末からコンテンツ情報が配置されている位置までの距離によって別タブで表示したものである。図２４〜２６では、コンテンツ情報を０〜２０ｍ、２１ｍ〜１００ｍ、１００ｍ以上の３つに分類し、それぞれを別タブで表示している。
【００６２】
以上のように本実施の形態によれば、利用者はコンテンツ情報の位置関係を詳しく把握することができる。
【００６３】
実施の形態８．
実施形態１による３Ｄ情報表示システムでは、表示するコンテンツ情報は風景映像と関連付けられているため、コンテンツ情報の表示可能範囲はコンテンツ情報が配置されている場所が風景映像上で確認可能な範囲となる。
しかし、風景映像上では確認できないような数kｍ以上離れた場所のコンテンツ情報を提供したい場合もある。例えば、ランドマークとなるビルやタワーや山といったものがこれに該当するものであり、位置確認のための情報として、またその地域を代表するものとして、広く提供されるべき情報である。
このように、特定のコンテンツ情報については長距離でも提供したいような場合には、コンテンツ情報に「公開距離」を追加することで解決することが出来る。
本実施の形態では、コンテンツ情報に「公開距離」を追加する場合について説明する。
【００６４】
以下、コンテンツ情報に公開距離を付けた場合の動作手順について説明する。
まず、コンテンツ情報編集手段４２を使用してコンテンツ情報を編集、登録する際に公開距離情報を付加する。公開距離情報はコンテンツ情報を公開する限界距離であり、端末１からコンテンツ情報までの距離が公開距離情報以内であれば、即ち端末１の現在位置からコンテンツ情報が表示される風景映像の位置までの距離が公開距離情報以内であれば、３Ｄ情報表示システムでコンテンツ情報を提供し、公開距離以上であれば表示しない。公開距離情報が指定されなかった場合には、公開距離情報には初期値(例えば１００ｍ)を使用する。
【００６５】
次に、３Ｄ情報表示システムを使用してコンテンツ情報を提供する。
図２７は、公開距離情報を付与したコンテンツ情報を提供する場合の処理動作を示したシーケンス図である。
まず、利用者は風景を撮影し、端末１は位置情報をコンテンツ管理サーバ２へ送信する。
コンテンツ管理サーバ２は、コンテンツ情報の位置情報から端末とコンテンツ情報との距離を取得し、対象となるコンテンツ情報を絞り込む。
【００６６】
図２８は、端末１とコンテンツ情報との距離によってコンテンツ情報の絞込みを行っている様子を示した図である。
「○△花屋」と「富士山」は、端末１までの距離がそれぞれのコンテンツ情報に付与されている公開距離情報以下であるために利用者への提供候補として採用される。しかし、「富士山」よりも端末までの距離が近いはずの「○○そば」においては、端末までの距離が付与されている公開距離情報よりも大きいために、利用者への提供候補から除外される。
【００６７】
コンテンツ情報の絞込み後、絞り込んだコンテンツ情報の中から風景映像の範囲に含まれるコンテンツ情報を選出し、端末へ送信する。続いて、端末１はコンテンツ管理サーバ２から受け取ったコンテンツ情報を風景映像上に重畳表示して利用者へ提供する。
【００６８】
以上のように本実施の形態によれば、コンテンツ情報に公開距離情報を追加することにより、コンテンツ情報に、コンテンツ情報を提供する側の意思を反映し、重要なコンテンツ情報をより広い範囲へ提供することができる。
【００６９】
実施の形態９．
上記の実施の形態１〜実施の形態８を用いれば、次のようなサービスを行うことができる。
次に、第１のサービスについて説明する。
第１のサービスとしては、３Ｄ情報表示システムを用いて利用者にコンテンツ情報を提供可能なエリアを構築するというサービスが挙げられる。
【００７０】
図２９は、第１のサービスを実行するための構成について示した構成図である。
エリア３０１は、３Ｄ情報表示システムを用いて利用者にコンテンツ情報を提供することが可能なエリアである。
端末３０２は、３Ｄ情報表示システムの端末であり、利用者へのコンテンツ情報提供とコンテンツ管理サーバ３０３に登録されているコンテンツ情報の編集を行うものである。
コンテンツ管理サーバ３０３は、利用者へ提供するコンテンツ情報の管理を行うサーバであり、エリア３０１内の全てのコンテンツ情報を記録し、端末３０２と通信を行うことでエリア３０１内のコンテンツ情報を端末３０２を利用する利用者へ提供し、またはコンテンツ情報の編集を行う。なお、コンテンツ管理サーバはエリア内に複数あっても良い。
【００７１】
第１のサービスでは、図２９中のエリア３０１の構築を行うものである。また、第１のサービスには、コンテンツ管理サーバ３０３へのエリア３０１内のコンテンツ情報登録代行を含めても良い。更に、端末３０２の貸与を含めても良い。
【００７２】
第１のサービスは、コンテンツ情報を３Ｄ情報表示システムを用いて公開しようと考えている情報提供者からの依頼で、新規に３Ｄ情報表示システムを用いて利用者にコンテンツ情報を提供することが可能なエリアの構築を行うというサービスである。
【００７３】
例えば、新しく遊園地を開園するにあたり、第１のサービスを使用してエリア３０１を構築したとする。遊園地来場者は、来場者が所有する携帯端末または貸与された端末を使用して、アトラクションの場所や内容や待ち時間、イベントの開催時間や場所や内容を知ることが出来る。遊園地管理者は、コンテンツ情報を更新していくことで、来園者に最新のコンテンツ情報を提供することができる。そして、第１のサービスを提供する側は、エリアの構築と端末の貸与によるサービス料を得ることが出来る。
【００７４】
実施の形態１０．
次に、実施の形態１〜実施の形態８を利用した第２のサービスについて説明する。
第２のサービスとしては、３Ｄ情報表示システムを用いて利用者にコンテンツ情報を提供可能なエリアを予め構築しておき、要望に応じて貸し出すというサービスが挙げられる。
【００７５】
図３０は、第２のサービスを実行するための構成について示した構成図である。
エリア４１１〜４１４は、予め構築されているもので、３Ｄ情報表示システムを用いて利用者にコンテンツ情報を提供することが可能なエリアである。
端末４２１は、３Ｄ情報表示システムの端末であり、利用者へのコンテンツ情報提供とコンテンツ管理サーバに登録されているコンテンツ情報の編集を行うものである。
コンテンツ管理サーバ４２２は、利用者へ提供するコンテンツ情報の管理を行うサーバであり、対応するエリア（ここではエリア４１３）内の全てのコンテンツ情報を記録し、端末４２１と通信を行うことで、エリア４１３内のコンテンツ情報を利用者へ提供し、またはコンテンツ情報の編集を行う。なお、コンテンツ管理サーバは１つのエリア内に複数あっても良い。
【００７６】
第２のサービスでは、図３０中のエリア４１１〜エリア４１４の貸し出しを行うものである。また、第２のサービスには、コンテンツ管理サーバ４２２へ、貸し出したエリア内のコンテンツ情報登録代行を含めても良い。更に、端末４２１の貸与を含めても良い。
【００７７】
第２のサービスは、イベントホールや展示場といった大きな会場のような場所に、予め３Ｄ情報表示システムを用いて利用者にコンテンツ情報を提供可能なエリアを構築しておき、会場を使用するイベント開催者に対して、必要に応じてエリアを貸し出すというサービスである。
【００７８】
例えば、エリア構築済みのイベントホールを使用してイベントを開催するにあたり、第２のサービスを使用してエリアを借り受けたとする。
この場合、イベント来場者は、来場者が所有する携帯端末または貸与された端末を使用して、イベント参加ブースの場所や内容や待ち時間といった情報を入手することが出来る。
また、イベント開催者は、コンテンツ情報を更新していくことで、来場者に最新のコンテンツ情報を提供することができる。
そして第２のサービスを提供する側は、エリアの貸し出しと端末の貸与によるサービス料を得ることが出来る。
【図面の簡単な説明】
【００７９】
【図１】実施の形態１の情報表示システムの構成図。
【図２】実施の形態１における情報表示システムの処理動作を示すシーケンス図。
【図３】実施の形態１において端末１の周囲の風景を撮影している様子を示す図。
【図４】実施の形態１において端末の位置情報を示す図。
【図５】実施の形態１においてコンテンツ管理サーバによるコンテンツ情報選出の様子を示す図。
【図６】実施の形態１において撮影手段１３が取得した端末周囲の風景映像を示す図。
【図７】実施の形態１において表示位置算出手段１４が算出した表示位置にコンテンツ情報を重畳表示した風景映像示す図。
【図８】実施の形態２の情報表示システムの構成図。
【図９】実施の形態２における情報表示システムの処理動作を示すシーケンス図。
【図１０】実施の形態３の情報表示システムの構成図。
【図１１】実施の形態３における情報表示システムの処理動作を示すシーケンス図。
【図１２】実施の形態４の情報表示システムの構成図。
【図１３】実施の形態４における情報表示システムの処理動作を示すシーケンス図。
【図１４】実施の形態５においてコンテンツ情報の主部のみを表示した重畳映像を示した図。
【図１５】実施の形態５においてコンテンツ情報を選択した場合の重畳映像を示した図。
【図１６】実施の形態５においてコンテンツ情報を表示した場合の重畳映像を示した図。
【図１７】実施の形態５における他の処理動作を示すシーケンス図。
【図１８】実施の形態６において指定されたタグに対応するコンテンツ情報のみを表示する場合の処理動作を示すシーケンス図。
【図１９】実施の形態６において端末１が選出した後のコンテンツ情報のみを重畳表示した様子を示した図。
【図２０】実施の形態６における他の処理動作を示すシーケンス図。
【図２１】実施の形態６においてコンテンツ管理サーバ２がコンテンツ情報の絞込みのを行う時の様子を示した図。
【図２２】実施の形態７において遠近２つのコンテンツ情報を表示した重畳映像例を示した図。
【図２３】実施の形態７においてコンテンツ情報を選択した状態の重畳映像例を示した図。
【図２４】実施の形態７における重畳映像例を示した図。
【図２５】実施の形態７における重畳映像例を示した図。
【図２６】実施の形態７における重畳映像例を示した図。
【図２７】実施の形態８において公開距離情報を付与したコンテンツ情報を提供する場合の処理動作を示したシーケンス図。
【図２８】実施の形態８において端末とコンテンツ情報との距離によってコンテンツ情報の絞込みを行っている様子を示した図。
【図２９】実施の形態９において第１のサービスを実行するための構成について示した構成図。
【図３０】実施の形態１０において第２のサービスを実行するための構成について示した構成図。
【符号の説明】
【００８０】
１  端末、１１  位置情報取得手段、１２  位置情報送信手段、１３  撮影手段、１４  表示位置算出手段、１５  表示手段、１６  アンテナ、２  コンテンツ管理サーバ、２１  記録手段、２２  コンテンツ情報提供手段、２３  表示位置算出手段、２４  重畳表示手段、１００  インターネット、１０１  無線基地局、３  端末、３１  コンテンツ情報入力手段、３２  位置情報入力手段、３３  コンテンツ情報送信手段、３４  編集結果表示手段、３５  アンテナ、４  コンテンツ管理サーバ、４１  記録手段、４２  コンテンツ情報編集手段、４３  編集結果送信手段、２００  インターネット、２０１  無線基地局。
【図１】
2006091390.tif 000003
【図２】
2006091390.tif 000004
【図３】
2006091390.tif 000005
【図４】
2006091390.tif 000006
【図５】
2006091390.tif 000007
【図６】
2006091390.tif 000008
【図７】
2006091390.tif 000009
【図８】
2006091390.tif 000010
【図９】
2006091390.tif 000011
【図１０】
2006091390.tif 000012
【図１１】
2006091390.tif 000013
【図１２】
2006091390.tif 000014
【図１３】
2006091390.tif 000015
【図１４】
2006091390.tif 000016
【図１５】
2006091390.tif 000017
【図１６】
2006091390.tif 000018
【図１７】
2006091390.tif 000019
【図１８】
2006091390.tif 000020
【図１９】
2006091390.tif 000021
【図２０】
2006091390.tif 000022
【図２１】
2006091390.tif 000023
【図２２】
2006091390.tif 000024
【図２３】
2006091390.tif 000025
【図２４】
2006091390.tif 000026
【図２５】
2006091390.tif 000027
【図２６】
2006091390.tif 000028
【図２７】
2006091390.tif 000029
【図２８】
2006091390.tif 000030
【図２９】
2006091390.tif 000031
【図３０】
2006091390.tif 000032